【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
前後方向（Ｆ、Ｒ）に延び周辺外面（２０）および前部嵌合端（２２、１２２）を有する縦軸Ａを有する工具ホルダー（１２、１１２）と、
後部嵌合端（６２、１６２）および前部挿入物受容端（５７）を有しその中に取り外し可能に固定される切削挿入物（１６）を備える工具ヘッド（１４、１１４）と、
を含み、
工具ホルダー（１２、１１２）の前部嵌合端（２２、１２２）は：
中心軸Ｂを備え、その中のねじ穴（４４）、および平面的なサポーティング面（２６、１２６）と隣接する複数のアバットメント壁面（４８、１４８；５０、１５０；５２、１５２；５４、１５４）を有する、雄または雌型の工具ヘッド連結器（２３、１２３）、を備え、
工具ヘッド（１４、１１４）の後部嵌合端（６２、１６２）は：
その中の貫通穴（７０）、および平面的なサポート面（６６、１６６）に隣接する複数の隣接アバッティング面（７４、１７４；７６、１７６；７８、１７８；８０、１８０）を有する、雄または雌型の工具ホルダー連結器（６３、１６３）を備え、
ここで、サポート面（６６、１６６）は、サポーティング面（２６、１２６）と接触し、
複数のアバッティング壁面（７４、１７４；７６、１７６；７８、１７８；８０、１８０）のうちの少なくとも３つは、複数のアバットメント壁面（４８、１４８；５０、１５０；５２、１５２；５４、１５４）のうちの少なくとも３つと接触し、および固定するねじ部材（９０）は、貫通穴（７０）を通って延び、およびねじ穴（４４）と係合し、および
ここで、複数のアバットメント壁面（４８、１４８；５０、１５０；５２、１５２；５４、１５４）のうちの少なくとも３つは、非共平面的であり、および、サポーティング面の方向（２６、１２６）で見たときに、縦軸Ａを含有する主平面Ｐ１に対して鋭い第３の角度αで傾斜することを特徴とする、ワークピース（９２）を機械加工するための切削工具組立品（１０、１１０）。
【請求項２】
工具ヘッド連結器（２３）は、工具ヘッドを受容するポケット（２４）の形態の雌型であり、および工具ホルダー連結器（６３）は、係合突起（６４）の形態の雄型であることを特徴とする請求項１に記載の切削工具組立品（１０）。
【請求項３】
平面的なサポーティング面（２６）は、工具ヘッドを受容するポケット（２４）を少なくとも部分的に縁取る隆起した面であることを特徴とする請求項２に記載の切削工具組立品（１０）。
【請求項４】
平面的なサポート面（６６）は、係合突起（６４）を少なくとも部分的に縁取る下方面であることを特徴とする請求項２に記載の切削工具組立品（１０）。
【請求項５】
工具ヘッドを受容するポケット（２４）は、周辺外面（２０）と交差するポケット下方面（４２）を有することを特徴とする請求項２に記載の切削工具組立品（１０）。
【請求項６】
工具ヘッドを受容するポケット（２４）内に係合突起（６４）の単一の可能な配向が存在することを特徴とする請求項２に記載の切削工具組立品（１０）。
【請求項７】
複数のアバットメント壁面（４８、１４８；５０、１５０；５２、１５２；５４、１５４）のうちの少なくとも３つのうちの２つは平行であることを特徴とする請求項１に記載の切削工具組立品（１０、１１０）。
【請求項８】
複数のアバットメント壁面（４８、１４８；５０、１５０；５２、１５２；５４、１５４）のうちの少なくとも３つのうちの２つは、サポーティング面の方向（２６、１２６）で見たときに、第４の角度σを形成し、および第４の角度σは、第３の角度αの２倍と等しいことを特徴とする請求項１に記載の切削工具組立品（１０、１１０）。
【請求項９】
複数のアバットメント壁面（４８、１４８；５０、１５０；５２、１５２；５４、１５４）のうちの少なくとも３つは、平面的なサポーティング面（２６、１２６）に対して鋭い第１の角度βで傾斜していることを特徴とする請求項１に記載の切削工具組立品（１０、１１０）。
【請求項１０】
複数のアバッティング壁面（７４、１７４；７６、１７６；７８、１７８；８０、１８０）のうちの少なくとも３つは、平面的なサポート面（６６、１６６）に対して鋭い第２の角度φで傾斜しており、および第２の角度φは、実質的に、第１の角度βと等しいことを特徴とする請求項９に記載の切削工具組立品（１０、１１０）。
【請求項１１】
平面的なサポーティング面（２６、１２６）は、縦軸Ａに対して斜めの第５の角度γで傾斜していることを特徴とする請求項１に記載の切削工具組立品（１０、１１０）。
【請求項１２】
平面的なサポーティング面（２６、１２６）は、工具ホルダー（１２、１１２）の周辺外面（２０）と交差することを特徴とする請求項１に記載の切削工具組立品（１０、１１０）。
【請求項１３】
４つのアバッティング壁面（７４、１７４；７６、１７６；７８、１７８；８０、１８０）は、４つのアバットメント壁面（４８、１４８；５０、１５０；５２、１５２；５４、１５４）と接触することを特徴とする請求項１に記載の切削工具組立品（１０、１１０）。
【請求項１４】
工具ホルダー（１２、１１２）は、主平面Ｐ１に関して鏡面対称性を有することを特徴とする請求項１に記載の切削工具組立品（１０、１１０）。
【請求項１５】
ねじ穴（４４）の中心軸Ｂは、主平面Ｐ１と交差し、および縦軸Ａを横切る方向に延びることを特徴とする請求項１に記載の切削工具組立品（１０、１１０）。
【請求項１６】
ねじ穴（４４）の中心軸Ｂは、平面的なサポーティング面（２６、１２６）に対して斜めの第６の角度δで傾斜することを特徴とする請求項１に記載の切削工具組立品（１０、１１０）。
【請求項１７】
縦軸Ａを含有し、および切削挿入物（１６）の操作する主な刃先（８２）と交差する副平面Ｐ２は、主平面Ｐ１に対して垂直であることを特徴とする請求項１に記載の切削工具組立品（１０、１１０）。
【請求項１８】
中心軸Ｂは、副平面Ｐ２と交差することを特徴とする請求項１７に記載の切削工具組立品（１０、１１０）。
【請求項１９】
平面的なサポーティング面（２６）は、４つの共平面的な  ベアリング領域（２８、３０、３２、３４）で構成されることを特徴とする請求項１に記載の切削工具組立品（１０）。
【請求項２０】
工具ヘッド連結器（１２３）は、係合突起（１２４）の形態の雄型であり、および工具ホルダー連結器（１６３）は、工具ホルダーを受容するポケット（１６４）の形態の雌型であることを特徴とする請求項１に記載の切削工具組立品（１１０）。
【請求項２１】
係合突起（１２４）は、２つの別個の突起周辺部分（１９３、１９４）を含む突起周辺面（１４６）を有することを特徴とする請求項２０に記載の切削工具組立品（１１０）。
【請求項２２】
各突起周辺部分（１９３、１９４）は、周辺外面（２０）によって区切られ、および２つのアバットメント壁面（１４８、１５２および１５０、１５４）を有することを特徴とする請求項２１に記載の切削工具組立品（１１０）。
【手続補正２】
【補正対象書類名】明細書
【補正対象項目名】００３６
【補正方法】変更
【補正の内容】
【００３６】
本発明をある程度具体的に説明したが、以下の特許請求の範囲に記載されるように、本発明の精神および範囲を逸脱せずに、種々の変更および修正を行うことができることは理解されよう。
以下に、本発明の好ましい態様を示す。
１．  前後方向（Ｆ、Ｒ）に延び周辺外面（２０）および前部嵌合端（２２、１２２）を有する縦軸Ａを有する工具ホルダー（１２、１１２）と、
後部嵌合端（６２、１６２）および前部挿入物受容端（５７）を有しその中に取り外し可能に固定される切削挿入物（１６）を備える工具ヘッド（１４、１１４）と、
を含み、
工具ホルダー（１２、１１２）の前部嵌合端（２２、１２２）は：
中心軸Ｂを備え、その中のねじ穴（４４）、および平面的なサポーティング面（２６、１２６）と隣接する複数のアバットメント壁面（４８、１４８；５０、１５０；５２、１５２；５４、１５４）を有する、雄または雌型の工具ヘッド連結器（２３、１２３）、を備え、
工具ヘッド（１４、１１４）の後部嵌合端（６２、１６２）は：
その中の貫通穴（７０）、および平面的なサポート面（６６、１６６）に隣接する複数の隣接アバッティング面（７４、１７４；７６、１７６；７８、１７８；８０、１８０）を有する、雄または雌型の工具ホルダー連結器（６３、１６３）を備え、
ここで、サポート面（６６、１６６）は、サポーティング面（２６、１２６）と接触し、
複数のアバッティング壁面（７４、１７４；７６、１７６；７８、１７８；８０、１８０）のうちの少なくとも３つは、複数のアバットメント壁面（４８、１４８；５０、１５０；５２、１５２；５４、１５４）のうちの少なくとも３つと接触し、および固定するねじ部材（９０）は、貫通穴（７０）を通って延び、およびねじ穴（４４）と係合し、および
ここで、複数のアバットメント壁面（４８、１４８；５０、１５０；５２、１５２；５４、１５４）のうちの少なくとも３つは、非共平面的であり、および、サポーティング面の方向（２６、１２６）で見たときに、縦軸Ａを含有する主平面Ｐ１に対して鋭い第３の角度αで傾斜することを特徴とする、ワークピース（９２）を機械加工するための切削工具組立品（１０、１１０）。
２．  工具ヘッド連結器（２３）は、工具ヘッドを受容するポケット（２４）の形態の雌型であり、および工具ホルダー連結器（６３）は、係合突起（６４）の形態の雄型であることを特徴とする１．に記載の切削工具組立品（１０）。
３．  平面的なサポーティング面（２６）は、工具ヘッドを受容するポケット（２４）を少なくとも部分的に縁取る隆起した面であることを特徴とする２．に記載の切削工具組立品（１０）。
４．  平面的なサポート面（６６）は、係合突起（６４）を少なくとも部分的に縁取る下方面であることを特徴とする２．に記載の切削工具組立品（１０）。
５．  工具ヘッドを受容するポケット（２４）は、周辺外面（２０）と交差するポケット下方面（４２）を有することを特徴とする２．に記載の切削工具組立品（１０）。
６．  工具ヘッドを受容するポケット（２４）内に係合突起（６４）の単一の可能な配向が存在することを特徴とする２．に記載の切削工具組立品（１０）。
７．  複数のアバットメント壁面（４８、１４８；５０、１５０；５２、１５２；５４、１５４）のうちの少なくとも３つのうちの２つは平行であることを特徴とする１．に記載の切削工具組立品（１０、１１０）。
８．  複数のアバットメント壁面（４８、１４８；５０、１５０；５２、１５２；５４、１５４）のうちの少なくとも３つのうちの２つは、サポーティング面の方向（２６、１２６）で見たときに、第４の角度σを形成し、および第４の角度σは、第３の角度αの２倍と等しいことを特徴とする１．に記載の切削工具組立品（１０、１１０）。
９．  複数のアバットメント壁面（４８、１４８；５０、１５０；５２、１５２；５４、１５４）のうちの少なくとも３つは、平面的なサポーティング面（２６、１２６）に対して鋭い第１の角度βで傾斜していることを特徴とする１．に記載の切削工具組立品（１０、１１０）。
１０．  複数のアバッティング壁面（７４、１７４；７６、１７６；７８、１７８；８０、１８０）のうちの少なくとも３つは、平面的なサポート面（６６、１６６）に対して鋭い第２の角度φで傾斜しており、および第２の角度φは、実質的に、第１の角度βと等しいことを特徴とする９．に記載の切削工具組立品（１０、１１０）。
１１．  平面的なサポーティング面（２６、１２６）は、縦軸Ａに対して斜めの第５の角度γで傾斜していることを特徴とする１．に記載の切削工具組立品（１０、１１０）。
１２．  平面的なサポーティング面（２６、１２６）は、工具ホルダー（１２、１１２）の周辺外面（２０）と交差することを特徴とする１．に記載の切削工具組立品（１０、１１０）。
１３．  ４つのアバッティング壁面（７４、１７４；７６、１７６；７８、１７８；８０、１８０）は、４つのアバットメント壁面（４８、１４８；５０、１５０；５２、１５２；５４、１５４）と接触することを特徴とする１．に記載の切削工具組立品（１０、１１０）。
１４．  工具ホルダー（１２、１１２）は、主平面Ｐ１に関して鏡面対称性を有することを特徴とする１．に記載の切削工具組立品（１０、１１０）。
１５．  ねじ穴（４４）の中心軸Ｂは、主平面Ｐ１と交差し、および縦軸Ａを横切る方向に延びることを特徴とする１．に記載の切削工具組立品（１０、１１０）。
１６．  ねじ穴（４４）の中心軸Ｂは、平面的なサポーティング面（２６、１２６）に対して斜めの第６の角度δで傾斜することを特徴とする１．に記載の切削工具組立品（１０、１１０）。
１７．  縦軸Ａを含有し、および切削挿入物（１６）の操作する主な刃先（８２）と交差する副平面Ｐ２は、主平面Ｐ１に対して垂直であることを特徴とする１．に記載の切削工具組立品（１０、１１０）。
１８．  中心軸Ｂは、副平面Ｐ２と交差することを特徴とする１７．に記載の切削工具組立品（１０、１１０）。
１９．  平面的なサポーティング面（２６）は、４つの共平面的な  ベアリング領域（２８、３０、３２、３４）で構成されることを特徴とする１．に記載の切削工具組立品（１０）。
２０．  工具ヘッド連結器（１２３）は、係合突起（１２４）の形態の雄型であり、および工具ホルダー連結器（１６３）は、工具ホルダーを受容するポケット（１６４）の形態の雌型であることを特徴とする１．に記載の切削工具組立品（１１０）。
２１．  係合突起（１２４）は、２つの別個の突起周辺部分（１９３、１９４）を含む突起周辺面（１４６）を有することを特徴とする２０．に記載の切削工具組立品（１１０）。
２２．  各突起周辺部分（１９３、１９４）は、周辺外面（２０）によって区切られ、および２つのアバットメント壁面（１４８、１５２および１５０、１５４）を有することを特徴とする２１．に記載の切削工具組立品（１１０）。
２３．  周辺外面（２０）および前部嵌合端（２２、１２２）を有し前後方向（Ｆ、Ｒ）に延びる縦軸Ａを有する工具ホルダー（１２、１１２）であって、
工具ホルダー（１２、１１２）の前部嵌合端（２２、１２２）は：
その中のねじ穴（４４）、および平面的なサポーティング面（２６、１２６）に隣接する複数のアバットメント壁面（４８、１４８；５０、１５０；５２、１５２；５４、１５４）を有する、雄または雌型の工具ヘッド連結器（２３、１２３）を備え、
ここで、複数のアバットメント壁面（４８、１４８；５０、１５０；５２、１５２；５４、１５４）のうちの少なくとも３つは、サポーティング面の方向（２６、１２６）で見たとき、非共平面的でありおよび縦軸Ａを含有する主平面Ｐ１に対して鋭い第３の角度αで傾斜することを特徴とする工具ホルダー（１２、１１２）。
２４．  複数のアバットメント壁面（４８、１４８；５０、１５０；５２、１５２；５４、１５４）のうちの少なくとも３つのうちの２つは、平行であることを特徴とする２３．に記載の工具ホルダー（１２、１１２）。
２５．  複数のアバットメント壁面（４８、１４８；５０、１５０；５２、１５２；５４、１５４）のうちの少なくとも３つは、平面的なサポーティング面（２６、１２６）に対して鋭い第１の角度βで傾斜することを特徴とする２３．に記載の工具ホルダー（１２、１１２）。
２６．  平面的なサポーティング面（２６、１２６）は、縦軸Ａに対して斜めの第５の角度γで傾斜することを特徴とする２３．に記載の工具ホルダー（１２、１１２）。